(57)【要約】【課題】施工後のサイホン排水システムの排水管の効率的な検査方法を提供することを目的とする。【解決手段】水廻り器具１２Ｃからの排水を略水平方向に排出する横引き管３０Ｃと、横引き管３０Ｃの下流側端部に接続され、鉛直下方に配置された竪管３２Ｃと、を備えるサイホン排水システムの検査方法であって、上流側端部が大気開放された他の配管（サイホン排水管１６Ｄ）の下流側端部と竪管３２Ｃの下流側端部とを接続する第１工程と、横引き管３０Ｃの上流側端部から検査流体を流入させる第２工程と検査流体が他の配管１６Ｄの上流側端部に到達した後、横引き管３０Ｃ、竪管３２Ｃと他の配管１６Ｄに流体漏れがあるか否かを検査する第３工程と、を備える。【選択図】図１
2015166526.tif 000002
【特許請求の範囲】
【請求項１】
水廻り器具からの排水を略水平方向に排出する横引き管と、
前記各横引き管の下流側端部に接続され、鉛直下方に配置された竪管と、
を備えるサイホン排水システムの検査方法であって、
上流側端部が大気開放された他の配管の下流側端部と前記竪管の下流側端部とを接続する第１工程と、
前記竪管に連続する横引き管又は他の配管の上流側端部から検査流体を流入させる第２工程と、
前記検査流体が前記他の配管又は前記横引き管の上流側端部に到達した後、前記横引き管、前記竪管と前記他の配管に流体漏れがあるか否かを検査する第３工程と、
を備えるサイホン排水システムの検査方法。
【請求項２】
前記検査流体は、液体である請求項１記載のサイホン排水システムの検査方法。
【請求項３】
前記他の配管は複数であり、前記竪管の下流側端部と複数の前記配管の下流側端部が接続管で接続されている請求項１又は２記載のサイホン排水システムの検査方法。
【請求項４】
前記第１工程において、前記竪管の下流側端部と接続される他の配管は、他の竪管である請求項１〜３のいずれか１項記載のサイホン排水システムの検査方法。
【請求項５】
前記横引き管は、水廻り器具からの排水を一旦貯留する貯留槽に接続されている請求項１〜４のいずれか１項記載のサイホン排水システムの検査方法。
【請求項６】
前記第３工程では、前記検査流体が前記竪管、前記横引き管及び前記他の配管を検査流体で満たし、前記他の配管の上流側端部を閉塞し前記検査流体の圧力変動を測定する請求項１〜５のいずれか一項記載のサイホン排水システムの検査方法。
【請求項７】
水廻り器具からの排水を略水平方向に排出する横引き管と、
前記各横引き管の下流側端部に接続され、鉛直下方に配置された竪管と、
を備えるサイホン排水システムの検査方法であって、
上流側端部が大気開放された他の配管の下流側端部と前記竪管の下流側端部とを接続する第１工程と、
前記竪管に連続する横引き管又は他の配管の上流側端部の一方を閉塞する第２工程と、
前記横引き管又は前記他の配管の上流側端部の他方から前記竪管、前記横引き管及び前記他の配管内部の気体を加圧して、その圧力変動を測定することによって前記横引き管、前記竪管と前記他の配管に流体漏れがあるか否かを検査する第３工程と、
を備えるサイホン排水システムの検査方法。
【発明の詳細な説明】
【技術分野】
【０００１】
本発明はサイホン排水システムの検査方法に関する。
【背景技術】
【０００２】
近年、サイホン排水システムが提案されている。サイホン排水システムは、水廻り器具とサイホン排水管とを含んで構成されている。このサイホン排水管は、床スラブに沿って無勾配で配設された横引き管と、横引き管に連続して鉛直方向に配設される竪管とを有する。この竪管で発生するサイホン力を利用して、水廻り器具から排水効率の向上を図っている（特許文献１参照）。
【０００３】
ところで、このようなサイホン排水システムを施工後に排水管に漏れ箇所がないか検査する必要がある。サイホン排水システムでない場合には、例えば、排水管の一方に栓をした後、他方から一方に向かって水を注入し、満水とすることで目視によって漏れ箇所が確認できる。
【先行技術文献】
【特許文献】
【０００４】
【特許文献１】特開２０１１−２５６５５７号公報
【発明の概要】
【発明が解決しようとする課題】
【０００５】
サイホン排水システムでは、各水廻り器具に対応して個別のサイホン排水管が配設されている。したがって、上記検査も個別のサイホン排水管毎に行う必要があり、検査が煩雑になるという不都合があった。
【０００６】
また、サイホン排水システムでは、サイホン排水管の管径が小さいため、一方の端部を閉塞した状態で他方の端部から水を注入しようとしても、サイホン排水管内部の空気がうまく抜けず、水を注入することが困難であるという不都合がある。
【０００７】
また、サイホン排水管の両端部に栓をせず、サイホン排水管が完全に水で満たされた後、サイホン排水管の排水口に栓をすることが考えられる。しかしながら、サイホン排水管の横引き管から水を注入すると、水は竪管内で落下して流速が増加するため、満水のタイミングに合わせて栓をすることができず、スラブ等が水浸しになるという不都合がある。
【０００８】
さらに、竪管の下端部からポンプなどによって水を注入するということも考えられるが、この場合には、通常複数あるサイホン排水管毎にポンプが必要となり、作業の効率性で劣る。
【０００９】
すなわち、サイホン排水システムに対して、効率的で確実な密閉性の試験方法が確立されていなかった。
【００１０】
本発明は、上記事実を考慮し、施工後のサイホン排水システムの排水管の効率的な密閉性の検査方法を提供することを目的とする。
【課題を解決するための手段】
【００１１】
本発明の請求項１に係るサイホン排水システムの検査方法は、水廻り器具からの排水を略水平方向に排出する横引き管と、前記各横引き管の下流側端部に接続され、鉛直下方に配置された竪管と、を備えるサイホン排水システムの検査方法であって、上流側端部が大気開放された他の配管の下流側端部と前記竪管の下流側端部とを接続する第１工程と、接続された前記竪管に連続する横引き管又は他の配管の上流側端部から検査流体を流入させる第２工程と、前記検査流体が前記他の配管又は前記横引き管の上流側端部に到達した後、前記横引き管、前記竪管と前記他の配管に流体漏れがあるか否かを検査する第３工程と、を備える。
【００１２】
このサイホン排水システムの検査方法では、先ず竪管の下流側端部と他の配管の下流側端部を接続する。したがって、接続された竪管に連続する横引き管の上流側端部（開口端）から検査流体を注入すると、その横引き管に連続する竪管に存在していた気体は、当該竪管に接続された他の配管の上流側端部（開口部）から排出される。すなわち、他の配管から検査流体が流出されることを確認するだけで、サイホン排水管のみならず接続された他の配管まで流体で満たすことができる。すなわち、竪管と他の配管の下流端部を接続することにより、複数の管の密閉性を一度に検査することが可能になる。
【００１３】
ここで、横引き管が「略水平方向」とは、横引き管が無勾配である場合だけでなく、下り勾配が付してある場合、また他の配管等を回避するために部分的に上り勾配がある場合を含む。
【００１４】
また、この「気体」には、通常の気体以外に、煙等を混入させた空気を用いる場合も含む。
【００１５】
本発明の請求項２に係るサイホン排水システムの検査方法は、請求項１に記載のサイホン排水システムの検査方法において、前記流体は液体である。
【００１６】
検査流体が液体の場合、サイホン排水管（横引き管及び竪管）の内径が小さく、液体を内部に注入しにくい。特に、竪管の下流端部に栓をして水を注入しようとしても内部にある空気が抜けにくい。しかしながら、このサイホン排水システムの検査方法では他の配管の端部と竪管の下流側端部を接続したため、サイホン排水管内部の空気が他の配管の上流側端部から外部に排出され、サイホン排水管内部にスムーズに液体を注入することができる。
【００１７】
なお、この「液体」には、通常の水以外に、色付きの水等を用いた場合も包含する趣旨である。
【００１８】
本発明の請求項３に係るサイホン排水システムの検査方法は、請求項１または２のいずれか１項記載のサイホン排水システムの検査方法において、前記他の配管は複数であり、前記竪管の下流側端部と複数の前記配管の下流側端部が接続管で接続されている。
【００１９】
本発明の請求項３に係るサイホン排水システムの検査方法では、前記他の配管は複数であり、前記竪管の下流側端部と複数の前記排出管の下流側端部が接続されている。
【００２０】
このサイホン排水システムの検査方法では、１本の竪管の下流側端部に対して複数の他の配管の下流側端部を接続することにより、竪管に連続する横引き管から検査流体を注入するだけで、他の複数の配管に検査流体を注入することが可能になる。
【００２１】
本発明の請求項４記載のサイホン排水システムの検査方法は、請求項１〜３のいずれか１項記載のサイホン排水システムの検査方法において、前記第１工程において、前記竪管の下流側端部と接続される他の配管は、他の竪管である。
【００２２】
このサイホン排水システムの検査方法では、複数のサイホン排水管の竪管の下流側端部同士を接続する。したがって、検査流体、特に液体を注入しにくいサイホン排水に検査流体をスムーズに注入できると共に、２本以上のサイホン排水管を一度に検査することが可能となる。
【００２３】
本発明の請求項５記載のサイホン排水システムの検査方法は、請求項１〜４のいずれか１項記載のサイホン排水システムの検査方法において、前記横引き管は、水廻り器具からの排水を一旦貯留する貯留槽に接続されている。
【００２４】
サイホン排水管が貯留槽に連通しているため、サイホン排水管に検査液体を注入する場合、貯留槽に検査液体を注入すれば良くなる。
【００２５】
本発明の請求項６記載のサイホン排水システムの検査方法は、請求項１〜５のいずれか１項記載のサイホン排水システムの検査方法において、前記第３工程では、前記検査流体が前記竪管、前記横引き管及び前記他の配管を検査流体で満たし、前記他の配管の上流側端部を閉塞し前記検査流体の圧力変動を測定する。
【００２６】
このサイホン排水システムの検査方法では、横引き管、竪管及び他の配管を検査流体で満たした後、他の配管の上流側端部を閉塞して横引き管の上流側端部の圧力変動を測定するだけで、横引き管、竪管および他の配管の漏れの有無を確認することができる。
【００２７】
本発明の請求項７記載のサイホン排水システムの検査方法は、水廻り器具からの排水を略水平方向に排出する横引き管と、前記各横引き管の下流側端部に接続され、鉛直下方に配置された竪管と、を備えるサイホン排水システムの検査方法であって、上流側端部が大気開放された他の配管の下流側端部と前記竪管の下流側端部とを接続する第１工程と、前記竪管に連続する横引き管又は他の配管の上流側端部の一方を閉塞する第２工程と、前記横引き管又は前記他の配管の上流側端部の他方から前記竪管、前記横引き管及び前記他の配管内部の気体を加圧して、その圧力変動を測定することによって前記横引き管、前記竪管と前記他の配管に流体漏れがあるか否かを検査する第３工程と、を備える。
【００２８】
このサイホン排水システムの検査方法では、先ず竪管の下流側端部と他の配管の下流側端部を接続する。次に、接続された竪管に連続する横引き管又は他の配管の一方の上流側端部（開口端）を閉塞する。続いて、他方の上流側端部から横引き管、竪管及び他の配管の気体を加圧し、その圧力変動を測定することによって、横引き管、竪管及び他の配管に漏れがあるか否かを検査できる。すなわち、竪管と他の配管の下流端部を接続することにより、複数の管の密閉性を一度に検査することが可能になる。
【発明の効果】
【００２９】
本発明によれば、施工後のサイホン排水システムの排水管や配管に対して漏れの効率的な検査を行うことができる。
【図面の簡単な説明】
【００３０】
【図１】本発明の第１実施形態に係るサイホン排水システムの概略構成を示す断面図である。
【図２】本発明の第１実施形態に係るサイホン排水システムの要部を示す斜視図である。
【図３】サイホン排水管の接続状態を説明する断面図である。
【図４】サイホン排水管の接続状態を示す斜視図である。
【図５】サイホン排水管に対する水の注入状態を示す斜視図である。
【図６】サイホン排水管に対する水の注入状態を示す斜視図である。
【図７】サイホン排水管に対する水の注入状態を示す断面図である。
【図８】本発明の第２実施形態に係るサイホン排水システムの概略構成を示す断面図である。
【図９】本発明の第２実施形態の他の例に係るサイホン排水システムの概略構成を示す断面図である。
【図１０】本発明の第３実施形態に係るサイホン排水システムの概略構成を示す断面図である。
【図１１】本発明の第４実施形態に係るサイホン排水システムの概略構成を示す断面図である。
【図１２】本発明の第５実施形態に係るサイホン排水システムの概略構成を示す断面図である。
【発明を実施するための形態】
【００３１】
〔第１実施形態〕
【００３２】
本発明の第１実施形態に係るサイホン排水システムの検査方法について図１〜図７を参照して説明する。
【００３３】
先ず、本試験方法が適用されるサイホン排水システム１０について説明する。本実施形態では、複数階で構成された集合住宅に適用した例について説明する。なお、サイホン排水システムは、集合住宅に好適に用いられるが、戸建て住宅や一般住宅、工場等に適用することもできる。
【００３４】
図１に示すように、サイホン排水システム１０は、集合住宅の各戸に備えられた複数水廻り器具１２Ａ〜１２Ｃから排出される排水を一旦貯留する貯留槽１４と、貯留槽１４の排水をサイホン力によって流すサイホン排水管１６Ａ〜１６Ｃと、サイホン排水管１６Ａ〜１６Ｃで流された水を下まで流す立て管１８とを備える。
【００３５】
貯留槽１４は、水廻り器具１２Ａ〜１２Ｃからの排水を一旦貯留するものである。貯留槽１４は、図２に示すように、矩形体の箱形状であり、内部に貯留空間２０が形成されている。また、貯留空間２０は、仕切部材２２によって三つの貯留部２０Ａ〜２０Ｃに形成されている。
【００３６】
なお、この三つの貯留部２０Ａ〜２０Ｃは、仕切部材２２を越流することによって連通するものであり、水廻り器具１２Ａ〜１２Ｃから排水導入管２４Ａ〜２４Ｃを介して排水が流入する構成である。
【００３７】
また、三つの貯留部２０Ａ〜２０Ｃの下流側には、図２に示すように、それぞれサイホン排水管１６Ａ〜１６Ｃが接続される。
【００３８】
サイホン排水管１６Ａは、図１に示すように、スラブ２８に沿って配設される横引き管３０Ａと、横引き管３０Ａの下流側端部に連続する竪管３２Ａとを備える。横引き管３０Ａは、貯留槽１４と接続され、スラブ２８上で水平方向に無勾配で配設されている。横引き管３０Ａに連続する竪管３２Ａは、図示しない排水立て管に沿って下方向（鉛直方向下向き）に配設されている。
【００３９】
なお、本実施形態では横引き管３０Ａ〜３０Ｃ無勾配であるが、下り勾配とされていても良いし、他の配管を回避するため等に部分的に上り勾配が含まれていても良い。このようなものを包含して横引き管３０Ａ〜３０Ｃは略水平であるという。
【００４０】
また、竪管３２Ａの下流側端部（下端部）は、合流部継手３４を介して立て管１８に連結されている。
【００４１】
横引き管３０Ａと竪管３２Ａは、連続してサイホン排水管１６Ａを構成しており、内部が排水で一杯になった状態で排水が行われるように管の内径が設定されている。また、サイホン水頭Ｈｓのエネルギによってサイホン力（負圧）が作用して排水が行われる。
【００４２】
なお、後述の検査時には、水廻り器具１２Ａ〜１２Ｃおよび排水導入管２４Ａ〜２４Ｃは貯留槽１４に接続されておらず、貯留槽１４の排水導入管２４Ａ〜２４Ｃは図示しない閉塞手段によって閉塞されている。
【００４３】
また、竪管３２Ａ〜３２Ｃの下流側端部は、合流部継手３４に接続されておらず、スラブ２８から下方にぶら下がった状態とされている。
【００４４】
なお、サイホン排水管１６Ｂ、１６Ｃもサイホン排水管１６Ａと全く同様の構成なので、同様の構成要素には同一の参照番号にＢ、Ｃを付して説明を省略する。
【００４５】
このようなサイホン排水システム１０に対する検査方法について説明する。
【００４６】
先ず、サイホン排水管１６Ａ、１６Ｂの竪管３２Ａ、３２Ｂの下端部（下流側端部）同士を接続する。具体的には、図３に示すように、Ｌ字継手３６の一方の端部に竪管３２Ａの下端部を嵌合し、接着剤で接合する。同様にＬ字継手３８の一方の端部と竪管３２Ｂの下端部とを接合する。
【００４７】
さらに、Ｌ字継手３６、３８の他端同士の間に排水管４０を挿入し、接着剤でそれぞれと接合する。このようにして、竪管３２Ａと竪管３２Ｂを接続する。この結果、サイホン排水管１６Ａとサイホン排水管１６Ｂは連通することになる。なお、このＬ字継手３６、３８及び排水管４０の組み合わせを、以下、「接続管４２」という場合がある。
【００４８】
同様に、サイホン排水管１６Ｃの竪管３２Ｃの下端部は、図１、図４に示すように、他の水廻り器具１２Ｄとサイホン排水管１６Ｄを介して連通した他の貯留槽４４のサイホン排水管１６Ｄを構成する竪管３２Ｄの下端部と接続される。これにより、サイホン排水管１６Ｃとサイホン排水管１６Ｄが連通されたことになる。
【００４９】
この状態で貯留槽１４の貯留部２０Ａ、２０Ｃに水Ｗ（以下、煩雑さを避けるたけに「Ｗ」を省略する）を注入する。この際、貯留部２０Ａに連通されたサイホン排水管１６Ａの竪管３２Ａの下端部は、サイホン排水管１６Ｂの竪管３２Ｂの下端部と接続管４２で接続（連通）されている。また、サイホン排水管１６Ｂが接続されている貯留部２０Ｂには、水が注入されておらず、また水を注入するために貯留槽１４の蓋が開放されているため、大気に開放されている（閉塞されていない）。
【００５０】
したがって、サイホン排水管１６Ａ内に存在した空気は、注入された水によって接続管４２からサイホン排水管１６Ｂの竪管３２Ｂ、横引き管３０Ｂを介して貯留部２０Ｂに排出される。したがって、貯留部２０Ａに注入された水は、図５に示すように、サイホン排水管１６Ａ（横引き管３０Ａ及び竪管３２Ａ）にスムーズに流入していく。
【００５１】
この結果、図６に示すように、貯留部２０Ａに注入される水によってサイホン排水管１６Ａ、１６Ｂの横引き管３０Ａ、３０Ｂ及び竪管３２Ａ、３２Ｂが満水とされる。
【００５２】
同様に、図７に示すように、貯留部２０Ｃに水を注入することにより、サイホン排水管１６Ｃおよびサイホン排水管１６Ｄの横引き管３０Ｃ、３０Ｄおよび竪管３２Ｃ、３２Ｄが満水とされる。
【００５３】
ここで、サイホン排水管１６Ａ〜１６Ｄの目視により、満水試験を行うことができる。
【００５４】
なお、試験終了後は、各竪管３２Ａ〜３２Ｄは、Ｌ字継手３６、３８の接着部よりも上部の切断位置で切断することにより、接続管４２を切り離すことができる。なお、竪管３２Ａ〜３２Ｄの長さは、所定の長さよりも長く形成されているので、切断によって合流部継手３４に接続可能である。
【００５５】
したがって、切断後、３２Ａ〜３２Ｄを合流部継手３４に接続する。
【００５６】
このように本実施形態に係るサイホン排水システムの検査方法では、接続管４２によって２本のサイホン排水管１６Ａ、１６Ｂの竪管３２Ａ、３２Ｂの下端部同士を接続する。したがって、サイホン力を発生するために管径の小さいサイホン排水管１６Ａ、１６Ｂであっても水の注入側（本実施形態では貯留部２０Ａ）と反対側（本実施形態では貯留部２０Ｂ）が大気開放されている（閉塞されてない）ことになる。この結果、サイホン排水管１６Ａ、１６Ｂ内部の空気が容易に排出され、スムーズに水が流入して満水とすることができる。
【００５７】
また、２本のサイホン排水管１６Ａ、１６Ｂ（１６Ｃ、１６Ｄ）に一度に満水とすることができ、漏れの検査を２本ずつできるため、検査効率が向上する。
【００５８】
さらに、大気開放されている（閉塞されていない）部分が貯留槽１４の貯留部２０Ｂ又は貯留槽４４なので、満水時にサイホン排水管１６Ｂの横引き管３０Ｂの端部から貯留部２０Ｂに水が漏れても、スラブ２８を濡らすおそれがない。
【００５９】
なお、本実施形態では、満水試験（目視）で行ったが、水圧試験で行っても良い。さらに、液体に換えて煙等の気体を送りこむことによって気密検査を行っても良い。
【００６０】
水圧試験を行う場合には、サイホン排水管１６Ａ、１６Ｂ（１６Ｃ、１６Ｄ）が満水になった後、貯留部２０Ｂ（貯留槽４４）側を栓等で閉塞すると共に、水注入側の貯留部２０Ａ（２０Ｃ）にポンプを取り付け加圧した後、圧力変動を測定することによって、水漏れの有無を確認することができる。
【００６１】
同様に、気密試験を行う場合には、サイホン排水管１６Ａ、１６Ｂ（１６Ｃ、１６Ｄ）の一方の端部、例えば、貯留部２０Ｂ（貯留槽４４）側を栓等で閉塞すると共に、他方の端部である貯留部２０Ａ（２０Ｃ）に圧力計を取り付け、圧力変動を測定することによって、漏れの有無を確認することができる。
【００６２】
さらに、煙試験等を行う場合には、サイホン排水管１６Ａ、１６Ｂ（１６Ｃ、１６Ｄ）の一方の端部、例えば、貯留部２０Ａ（２０Ｃ）から煙を流入させ、貯留部２０Ｂ（貯留槽４４）から煙の到達を確認した後、貯留部２０Ａ、２０Ｂ（貯留部２０Ｃ、貯留槽４４）を閉塞することによってサイホン排水管１６Ａ、１６Ｂ（１６Ｃ、１６Ｄ）に煙を充満させることによって、検査を行う。
【００６３】
満水試験の場合も、目視だけでなく、貯留部２０Ａ（２０Ｃ）の液位の変化で水漏れの有無を確認することができる。
【００６４】
また、本実施形態では、水を用いて検査を行ったが、色付き水等の他の液体を用いて行っても良い。
【００６５】
さらに、本実施形態では、貯留槽１４の貯留部２０Ａ、２０Ｃに水を注ぐことによって、サイホン排水管１６Ａ〜１６Ｄに水を注入したが、反対側の貯留部２０Ｂ、貯留槽４４から水を注入しても良い。また、貯留槽１４、４４に接続された排水導入管２４Ａ〜２４Ｄあるいは水廻り器具１２Ａ〜１２Ｄから水を注入しても良い。
【００６６】
〔第２実施形態〕
【００６７】
本発明の第２実施形態に係るサイホン排水システムの検査方法について図面を参照して説明する。なお、第１実施形態と同一の構成要素には同一の参照符号を付し、その詳細な説明は省略する。また、第２実施形態は、第１実施形態と異なる構成と、その作用についてのみ説明する。
【００６８】
第１実施形態と異なるのは、サイホン排水管１６Ｃが接続される相手が異なるだけなので、そのシステムについて説明する。
【００６９】
サイホン排水管１６Ｃが接続される相手は、図８に示すように、ポンプ５０によって圧送排水する圧送排水管５２である。すなわち、水廻り器具１２Ｅは排水導入管２４Ｅを介してポンプ５０に接続されるものである。検査時には、ポンプ５０に圧送排水管５２を接続しない状態で行う。
【００７０】
、ポンプ５０に接続される圧送排水管５２は、サイホン排水管１６Ｃと同様にスラブ２８に平行な無勾配の横引き管３０Ｅと竪管３２Ｅとから構成されている。
【００７１】
したがって、サイホン排水管１６Ｃと圧送排水管５２の竪管３２Ｃ、３２Ｅの下端部同士を接続管４２で接続することにより、貯留部２０Ｃに水を注ぐことによって、サイホン排水管１６Ｃおよび圧送排水管５２を容易に満水とすることができる。
【００７２】
なお、本実施形態では、サイホン排水管１６Ｃ（竪管３２Ｃ）が接続されるのは、圧送排水管５２の竪管３２Ｅとしたが、これに限定されるものではない。
【００７３】
例えば、図９に示すように、サイホン力を用いない（勾配を用いる）通常の排水管７０に接続することもできる。すなわち、図９に示すように、器具排水管７２Ｆ、７２Ｇを介して複数の水廻り器具１２Ｆ、１２Ｇと連通され、下り勾配が付与された横枝管７４と、横枝管７４の下流端部から鉛直方向に延びる竪管７６を備える。
【００７４】
この排水管７０の竪管７６とサイホン排水管１６Ｃの竪管３２Ｃの下端部同士を接続管４２で接続した場合、サイホン排水管１６Ｃは排水管７０を介して水廻り器具１２Ｆ、１２Ｇでも大気開放されていることなる。
【００７５】
この場合には、水廻り器具１２Ｆ、１２Ｇの方が貯留槽１４（貯留部２０Ｃ）よりも高い位置になるので、水廻り器具１２Ｆ、１２Ｇから水を注入することにより、器具排水管７２Ｆ、７２Ｇから排水管７０、サイホン排水管１６Ｃを介して貯留部２０Ｃまで水が到達する。これによって、排水管７０とサイホン排水管１６Ｃに水が満たされたことがわかる。
【００７６】
したがって、容易にサイホン排水管１６Ｃと共に通常の排水管７０まで検査することができる。
【００７７】
[第３実施形態]
【００７８】
本発明の第３実施形態に係るサイホン排水システムの検査方法について図面を参照して説明する。なお、第１実施形態と同一の構成要素には同一の参照符号を付し、その詳細な説明は省略する。また、第２実施形態は、第１実施形態と異なる構成と、その作用についてのみ説明する。
【００７９】
第１実施形態と異なるのは、サイホン排水管１６Ｃが接続される相手が異なるだけなので、その点について説明する。
【００８０】
サイホン排水システム８０では、図１０に示すように、貯留槽１４が蓋体８２によって閉塞されている。また、蓋体８２には、通気管８４が連通されている。通気管８４は立て管１８に合流部継手３４を介して連通されるものである。
【００８１】
通気管８４は、蓋体８２の上部から貯留槽１４に沿ってスラブ２８まで引きおろされた後、スラブ２８と平行に無勾配で配設される横引き管３０Ｆと、横引き管３０Ｆの下流側端部に連続して鉛直下方に延在する竪管３２Ｆを備える。
【００８２】
このように構成されるサイホン排水システム８０の検査方法について説明する。
【００８３】
この場合には、先ず、サイホン排水管１６Ａ、１６Ｂの竪管３２Ａ、３２Ｂを接続管４２で接続した後、貯留部２０Ａに水を注ぐことによって、サイホン排水管１６Ａ、１６Ｂを満水にすることができる。
【００８４】
サイホン排水管１６Ａ、１６Ｂの検査終了後、サイホン排水管１６Ｂの横引き管３０Ｂを貯留槽１４（貯留部２０Ｂ）から引き抜き、換わりに通気管８４の横引き管３０Ｆを貯留槽１４（貯留部２０Ｂ）に挿入（接続）する。
【００８５】
したがって、サイホン排水管１６Ｃと通気管８４の竪管３２Ｃ、３２Ｆの下端部同士を接続することにより、サイホン排水管１６Ｃは、貯留部２０Ｂに連通していることになる。そこで、貯留部２０Ｃに水を注入することにより、サイホン排水管１６Ｃ、通気管８４を通って貯留部２０Ｂに到達して、サイホン排水管１６Ｃ、通気管８４を満水にすることができる。なお、検査後は、通気管８４を貯留部２０Ｂから抜き取り、蓋体８２に取り付けると共に、貯留部２０Ｂに対してサイホン排水管１６Ｂを再び取り付ける。
【００８６】
また、検査時に貯留槽１４が閉塞されている（蓋体が取られていない）場合には、貯留槽１４と水廻り器具１２Ａ〜１２Ｃが接続されていれば、排水導入管２４Ｃ又は水廻り器具１２Ｃから水を注入することによってサイホン排水管１６Ｂ、１６Ｃを満水にしても良い。
【００８７】
さらに、気密試験を行う場合には、貯留部２０Ｂとサイホン排水管１６Ｂとの連通部分を閉塞し、貯留部２０Ｃ側にポンプを設置してサイホン排水管１６Ｂ、１６Ｃに所定の圧力をまで加圧した後、圧力変化を測定することによって漏れ検査を行う。
【００８８】
[第４実施形態]
【００８９】
本発明の第４実施形態に係るサイホン排水システムの検査方法について図面を参照して説明する。なお、第１実施形態と同一の構成要素には同一の参照符号を付し、その詳細な説明は省略する。また、第４実施形態は、第１実施形態と異なる構成と、その作用についてのみ説明する。
【００９０】
本実施形態に係るサイホン排水システムの検査方法では、図１１に示すように、検査時にサイホン排水管１６Ｂ、１６Ｃを貯留槽１４から取り外し、横引き管３０Ｂ、３０Ｃの上流側端部を接続管４２で接続する。
【００９１】
これにより、サイホン排水管１６Ａ〜１６Ｄが全て連通されることになる。したがって、貯留部２０Ａに水を注ぐだけで、全てのサイホン排水管１６Ａ〜１６Ｄを満水にすることができる。
【００９２】
[第５実施形態]
【００９３】
本発明の第５実施形態に係るサイホン排水システムの検査方法について図面を参照して説明する。なお、第１実施形態と同一の構成要素には同一の参照符号を付し、その詳細な説明は省略する。また、第５実施形態は、第１実施形態と異なる構成と、その作用についてのみ説明する。
【００９４】
本実施形態に係るサイホン排水システムの検査方法では、図１２に示すように、検査時にサイホン排水管１６Ａ、１６Ｃの竪管３２Ａ、３２Ｃの下端部にＬ字継手３６、３８を取り付ける。また、サイホン排水管１６Ｂの竪管３２Ｂの下端部にＴ字継手９２を取り付ける。このＬ字継手３６とＴ字継手９２間及びＬ字継手３８とＴ字継手９２間に排水管４０、４０を取り付けるものである。
【００９５】
このようにすることによって、サイホン排水管１６Ａ〜１６Ｃが竪管３２Ａ〜３２Ｃの下端部で連通することになる。この結果、貯留部２０Ａに水を注入するだけで、サイホン排水管１６Ａ〜１６Ｃが一度に満水になる。
【００９６】
なお、一連の実施形態では水で説明したが、不凍液等、他の液体で接続しても良い。また、
【符号の説明】
【００９７】
１０  サイホン排水システム
１２Ａ〜１２Ｆ  水廻り器具
１４  貯留槽
１６Ａ〜１６Ｄ  サイホン排水管（配管）
３０Ａ〜３０Ｄ  横引き管
３２Ａ〜３２Ｄ  竪管（配管）
４２  接続管
５２  圧送排水管（配管）
７０  排水管（配管）
８４  通気管（配管）
【図１】
2015166526.tif 000003
【図２】
2015166526.tif 000004
【図３】
2015166526.tif 000005
【図４】
2015166526.tif 000006
【図５】
2015166526.tif 000007
【図６】
2015166526.tif 000008
【図７】
2015166526.tif 000009
【図８】
2015166526.tif 000010
【図９】
2015166526.tif 000011
【図１０】
2015166526.tif 000012
【図１１】
2015166526.tif 000013
【図１２】
2015166526.tif 000014